(57)【要約】【課題】草葺き屋根を二次改修する場合、一次改修の屋根を切除することなく改修し、廃棄材も極力少ない工法を提供する。【解決手段】軒先補強金具４は、アーム４１と、アーム先端に形成される凸部４２と、凸部先端に形成される脚部４３とを有している。該アームは、一次改修の屋根に軒先補強金具を取り付けたときに、少なくとも既存垂木の朽ちていない部分に至る長さを有しており、前記凸部は既存の軒先唐草を内側に位置させることができる形状である。軒先補強金具の凸部を一次改修の軒先にかぶせ、アームを既存垂木の朽ちていない部分に固定し、一次改修の屋根の軒先に取り付けられた複数の軒先補強金具に、軒付け材を掛け渡して固定するが、それぞれ、凸部と凸部とに掛け渡し、脚部と脚部とに掛け渡して固定する。このようにして一次改修の屋根の軒先部分を補強して、新設屋根を葺いていくのである。【選択図】　　　　図３
2004052390.tif 000002
【特許請求の範囲】
【請求項１】
軒先補強金具は、アームと、凸部と、脚部とを有しており、前記アームは、アームが既存垂木の上に位置するように、該軒先補強金具を一次改修の屋根の軒先に取り付けたときに、少なくとも既存垂木の朽ちていない部分に至る長さを有しており、前記凸部は既存の軒先唐草を内側に位置させることができる形状であり、前記脚部は凸部から下方に延出しており、軒先補強金具の凸部を一次改修の屋根の軒先にかぶせ、アームを既存垂木の上に位置するように配置し、該アームを既存垂木の朽ちていない部分に取り付け、一次改修の屋根の軒先に取り付けられた複数の軒先補強金具の凸部と凸部に、　軒付け材を掛け渡して固定することで、一次改修の屋根の軒先を補強する草葺き屋根の二次改修工法。
【発明の詳細な説明】
【０００１】
【発明が属する技術分野】
本発明は、草葺き屋根の二次改修工法に関するものである。
【０００２】
【従来の技術】
およそ３０年前、茅葺き等の草葺き屋根を平葺き屋根に改修することが多く行なわれた。その平葺き屋根は、経年による劣化のため、さらなる改修を必要とする時期になった。
草葺き屋根を改修した既存の平葺き屋根（一次改修）は、軒先が腐っている場合が多く、これを改修する際には、腐った箇所を取り除き、新しい部材に取り替えて、新設の屋根を葺いていた。
その様子を表しているのが、図７〜図１０である。図７は、草葺き屋根を平葺き屋根に一次改修した図であり、経年劣化のため、既存垂木Ｃと既存鼻隠しＤの接点を中心に６０ｍｍ〜１００ｍｍ位のところが朽ちていることが多い。これを改修（二次改修）するため、軒先を構成している部材や茅等の草葺き屋根材料を軒先から１５００ｍｍ〜２０００ｍｍ位を切除する。切除後の様子を表しているのが、図８である。
そして、二次改修のために、図９のように、新設軒先補強材１や新設補強材１１、新設母屋１２を取り付け、また、既存垂木Ｃには添え垂木を添えて固定して、必要な長さの新設垂木１３とする。その軒先に新設鼻隠し５、新設茅負い６等を施工していく。
その後、図１０のように、新設縦桟木３、新設横桟木９を配設し、新設屋根材１０を葺いていくのである。新設縦桟木３、新設横桟木９等の部材は、新設屋根材１０の形状に応じて異なっている。このような方法で二次改修を行なっていた。
【０００３】
この方法を用いると、既存の改修平葺き屋根の軒先の腐っている部分を取り除いて、廃棄することになるが、この切除作業は大変な労力を必要とするものであった。
一次改修の朽ちている部分を切除するために、１５００ｍｍ〜２０００ｍｍ位既存垂木Ｃを切除する必要があるが、さらに、添え垂木を釘着する長さ分として、６００ｍｍ〜９００ｍｍ位は既存垂木Ｃをむき出さなくてはならない。結局のところ、既存平葺き屋根板Ａは軒先から２０００ｍｍ〜３０００ｍｍ位はがさなくてはならない。
軒先から９００ｍｍ〜１５００ｍｍ位既存草葺き屋根Ｈも切除しなくてはならないが、図７のように、既存草葺き屋根Ｈは軒先まで入っており、茅等の材料がびっしり詰まっているので、これを切除するのは大変な手間を必要としていた。
このように、既存軒天Ｅ、既存鼻隠しＤ、既存水切り材Ｆ、既存軒先唐草Ｇ、既存野地板Ｂおよび、既存平葺き屋根板Ａの一部や既存垂木Ｃの一部などを切除し、既存草葺き屋根Ｈをも切除するのは、時間も労力も非常に多く必要とする作業工程であった。
【０００４】
その上、それら切除した多くの部材および大量の茅等の草葺き屋根材料を廃棄処分するためにも手間がかかっていた。
近年、環境汚染を防ぐという社会的意向が強くなっているため、このように多くの廃材を出す改修工法は、時代の流れに則さないものとなってしまった。
【０００５】
【発明が解決しようとする課題】
解決しようとする問題点は、草葺き屋根を二次改修する場合、一次改修の屋根を切除することなく改修し、廃棄材も極力少ない工法を提供する点である。
【０００６】
【課題を解決するための手段】
軒先補強金具は、アームと凸部と脚部とを有している。
該アームは、アームが既存垂木の上に位置するように、一次改修の屋根に軒先補強金具を取り付けたときに、少なくとも既存垂木の朽ちていない部分に至る長さを有しており、前記凸部は既存の軒先唐草を内側に位置させることができる形状であり、脚部は凸部から下方に延出している。
軒先補強金具の凸部を一次改修の軒先にかぶせ、アームを既存垂木の上に位置するように配置して、既存垂木の朽ちていない部分に固定することで取り付ける。
一次改修の屋根の軒先に取り付けられた複数の軒先補強金具の凸部と凸部とに、軒付け材を掛け渡して固定する。
【０００７】
このようにして一次改修の屋根の軒先部分を補強して、新設屋根を葺いていくのである。
【０００８】
【発明の実施の形態】
軒先補強金具と、軒先補強金具に取り付けられる軒付け材とによって、既存屋根の軒先部分を補強するため、既存屋根である一次改修の屋根を切除せずに、二次改修することを実現した。
【０００９】
【実施例】
本発明の第一実施例について、図１〜図４に基づいて説明する。
図１は本実施例の説明図、図２は軒先補強金具４の説明図、図３と図４は施工途中を表す説明図である。
【００１０】
図１に見られるように、既存平葺き屋根板Ａの上に、軒端から棟にかけて新設縦桟木３を掛け渡して、既存垂木Ｃに固定する。この新設縦桟木３は、新設横桟木９を止めるときの墨だしをする際、印付け等に役立つものである。
既存屋根の軒先は、既存垂木Ｃや既存野地板Ｂ等が腐っている可能性が高いので、軒先部分に軒先補強金具４を取り付ける。
【００１１】
軒先補強金具４は、図２に見られるように、アーム４１の先端が略コの字形に折り曲げられた凸部４２となっており、その下端が下方に延出して脚部４３となっている。
既存屋根の既存軒先唐草Ｇを凸部４２の内側に位置させるように軒先補強金具の凸部４２をかぶせ、アーム４１を新設縦桟木３の上から既存垂木Ｃに釘・ビス・ネジ等の止着具で固定する。アーム４１は、既存垂木Ｃの腐っている部分よりも棟側に長くのびており、既存垂木Ｃの腐っていない部分に至る長さを有しているため、新設縦桟木３に重ねて止着具で固定するときに、既存垂木Ｃの腐っていない箇所に止着具を打ち付けることができるので、強固に固定することができる。
凸部４２の形状は、既存軒先唐草Ｇを内側に位置させることができればよいので、略コの字形に限定するものではない。既存の屋根の軒先の形状に合わせて設計変更することができる。
【００１２】
この実施例では、既存軒天Ｅの外側に新設軒天２を取り付けるので、そのために、既存軒天Ｅの外側に新設軒先補強材１を配置して固定している。
【００１３】
軒先補強金具４を既存屋根の軒先に複数取り付けた後、左右に並ぶ軒先補強金具４の凸部４２に、軒付け材である新設鼻隠し５を掛け渡して釘・ビス・ネジ等の止着具で固定し、脚部４３にも軒付け材である新設鼻隠し５を掛け渡して、止着具で固定する（図３参照）。
この実施例では、新設軒先補強材１を設けてあるので、軒先補強金具４の脚部４３に取り付ける新設鼻隠し５の下端を新設軒先補強材１の軒先に固定している（図１参照）。
【００１４】
このように、既存屋根の軒先に固定された複数の軒先補強金具４の凸部４２と脚部４３それぞれに、軒付け材である新設鼻隠し５が掛け渡して取り付けられるため、軒先補強金具４と新設鼻隠し５とが一つの部材のようになる。
軒先補強金具４のアーム４１は、既存垂木Ｃの朽ちていない部分に固定されているため、しっかりと固定することができ、既存屋根の軒先が軒先補強金具４と新設鼻隠し５とによって補強されるものである。
【００１５】
それぞれの新設鼻隠し５に新設水切り材７を取り付け、さらに新設茅負い６、新設軒先唐草８、新設軒天２等を取り付けることで、新しい軒先が形成される。
【００１６】
このように構成した上に新設屋根材１０を葺いていくが、本実施例に例示した新設屋根材１０を取り付けるために、新設縦桟木３の上に墨出しし、所定の間隔で新設横桟木９を配設している。こうして、二次改修を行なうのである。
【００１７】
本実施例においては、新設屋根材１０として、横桟木を必要とするタイプの金属屋根材を図示したが、この新設縦桟木３や新設横桟木９等の既存屋根の上に構成される部材は、新設屋根材１０の形状に応じて異なってくる。屋根材の形状によっては、新設縦桟木３や新設横桟木９を必要とせず、他の部材を用いて屋根を葺いていくこともある。
また、新設縦桟木３は前述の通り、墨だし等の作業を容易にするために設置したが、新設縦桟木３を用いずに、軒先補強金具４を既存平葺き屋根板Ａの上から既存垂木Ｃに固定して、その上に新設屋根材１０を葺いてもよい。
このように、既存屋根の上に構成される部材は、新設屋根材１０の形状によって異なってくるものであり、必要に応じて、様々な屋根材を葺く実施例が考えられるので、ここでそれをすべて取り上げて説明することはできない。
【００１８】
次に、本発明の第二実施例について、図５に基づいて説明する。
この第二実施例は、前述の第一実施例において軒天を新設しない場合のものである。つまり、既存軒天Ｅが朽ちておらず、新設軒天２を施工する必要がない場合の一例である。
既存軒天Ｅをそのまま用いるため、新設軒先補強材１を取り付けていない。そのため、図５に見られるように、軒先補強金具４は第一実施例と同じ手順で既存屋根に取り付けられているが、脚部４３は第一実施例のように新設軒先補強材１に固定されてはいない。
前述同様、既存屋根の軒先に固定された複数の軒先補強金具４の凸部４２と脚部４３それぞれに、軒付け材である新設鼻隠し５が掛け渡して取り付けられるため、軒先補強金具４と新設鼻隠し５とが一つの部材のようになっている。このため、脚部４３が、新設軒先補強材１に固定されていなくても、十分の強度を持つものである。
一方、第一実施例の軒先補強金具４は、脚部４３に取り付けた新設鼻隠し５を新設軒先補強材１に固定したことで、脚部４３も固定されている。これによって、軒先補強金具４の固定はいっそう強固になり、積雪が多い地方においても、積雪の加重に一層耐え得るものである。
【００１９】
図６は前述の第一実施例において軒天を新設しない場合のさらに他の実施例を表している。設計変更を加えていけば、他にも様々な実施例を考え得ることを示す例である。
図６は、第一実施例と同様の仕方で既存屋根に軒先補強金具４を取り付け、左右に並ぶ軒先補強金具４の凸部４２に、軒付け材である新設鼻隠し５を掛け渡して釘・ビス・ネジ等の止着具で固定する。また、略コの字形をした凸部４２の下面にも、軒付け材である新設水切り下地材５１を掛け渡して固定する。この新設水切り下地材５１は、新設鼻隠し５と既存軒天Ｅとの間に取り付けられる新設水切り材７を、取り付けるための固定用板としての役割を果たすものである。
【００２０】
このように、本発明にかかる草葺き屋根の二次改修工法は、軒先補強金具と、軒先補強金具に取り付けられる軒付け材とによって、既存屋根の軒先部分を補強するため、既存屋根である一次改修の屋根を切除せずに、二次改修できるものである。
また、一次改修の屋根（既存屋根）を取り除く必要がないため、施工中の雨天時に対応するための養生を、必要としないという利点もある。
設計変更を加えていけば、他にも様々な実施例を考え得るが、そのすべてをここで記述することはできない。
【００２１】
【発明の効果】
従来の技術による草葺き屋根の二次改修工法では、軒先の朽ちている部分とその周辺の既存平葺き屋根板Ａや既存垂木Ｃ等の構成部材、および、既存草葺き屋根Ｈを切除しなくてはならなかった。
既存草葺き屋根Ｈは軒先まで入っており、茅等の材料がびっしり詰まっているので、これを切除するのは大変な手間を必要とし、また、既存平葺き屋根板Ａや既存垂木Ｃ等をも切除するのは、時間も労力も非常に多く必要とする作業工程であった。
その上、大量の茅等の草葺き屋根材料を廃棄処分しなくてはならず、また、既存軒天、既存鼻隠し、既存水切り材、既存軒先唐草、および、既存平葺き屋根材の一部や既存垂木の一部など、多くの廃材をも廃棄処分しなくてはならない改修工法であった。
【００２２】
これに対し、本発明にかかる草葺き屋根の二次改修工法は、一次改修の屋根（既存屋根）に軒先補強金具を取り付け、軒先補強金具と、軒先補強金具に取り付けられる軒付け材とによって、一次改修の屋根（既存屋根）の軒先部分を補強するものである。
軒先補強金具のアームは、既存垂木の朽ちていない部分に至る長さを有しているため、既存垂木の上に位置するように配置して固定するときに、既存垂木の朽ちていない箇所に固定することができるので、強固に固定することができる。
また、軒先補強金具の凸部は、既存軒先唐草を内側に位置させることができる形状であるため、既存屋根である一次改修の屋根の軒先にかぶせることができる。
このため、既存屋根である一次改修の屋根を切除せずに二次改修することができるものである。
従来の技術では、茅等の材料を切除したり、既存平葺き屋根板Ａや既存垂木Ｃ等をも切除するための作業工程を必要としたが、本発明はその工程を省いて改修することを可能にしたものである。
また、従来の方法が、多くの廃材と、大量の草葺き屋根材料の廃材がでるものであったのに対し、本発明はそれらの廃材がでないので、環境汚染を防ぐという社会的意向に合った改修工法である。
【図面の簡単な説明】
【図１】本発明第一実施例の説明図である。
【図２】本発明第一実施例の軒先補強金具４の説明図である。
【図３】本発明第一実施例の説明図である。
【図４】本発明第一実施例の説明図である。
【図５】本発明第二実施例の説明図である。
【図６】本発明の他の実施例の説明図である。
【図７】従来の技術の説明図である。
【図８】従来の技術の説明図である。
【図９】従来の技術の説明図である。
【図１０】従来の技術の説明図である。
【符号の説明】
１　　新設軒先補強材
２　　新設軒天
３　　新設縦桟木
４　　軒先補強金具
４１　アーム
４２　凸部
４３　脚部
５　　新設鼻隠し
５１　新設水切り下地材
６　　新設茅負い
７　　新設水切り材
８　　新設軒先唐草
９　　新設横桟木
１０　新設屋根材
１１　新設補強材
１２　新設母屋
Ａ　　既存平葺き屋根板
Ｂ　　既存野地板
Ｃ　　既存垂木
Ｄ　　既存鼻隠し
Ｅ　　既存軒天
Ｆ　　既存水切り材
Ｇ　　既存軒先唐草
Ｈ　　既存草葺き屋根
【図１】
2004052390.tif 000003
【図２】
2004052390.tif 000004
【図３】
2004052390.tif 000005
【図４】
2004052390.tif 000006
【図５】
2004052390.tif 000007
【図６】
2004052390.tif 000008
【図７】
2004052390.tif 000009
【図８】
2004052390.tif 000010
【図９】
2004052390.tif 000011
【図１０】
2004052390.tif 000012